(57)【特許請求の範囲】
【請求項１】
第１キャビネットと、
前記第１キャビネットに内蔵される回路基板であって、表面と、前記表面に搭載される電子部品と、前記表面に前記電子部品の搭載されていない所定領域を有する、回路基板と、
前記第１キャビネットにスライド可能に連結され、電気的構成要素が搭載された第２キャビネットと、
前記電気的構成要素から引き出され、前記第１キャビネットに設けられた開口を通過して前記第１キャビネット内の前記回路基板に接続されているフレキシブルリードであって、前記回路基板の表面に設けられた前記所定領域上にて前記フレキシブルリードの一部を折り畳むことにより、フレキシブルリードは、重畳した重畳部が形成されており、
前記重畳部は、前記フレキシブルリードの一部を複数箇所にて折り返して曲折されることにより複数の曲折部を有し、前記複数の曲折部は、前記回路基板の前記所定領域上で前記回路基板の表面に沿う方向に互いにずれて配置されている、
ことを特徴とするスライド式携帯電子機器。
【発明の詳細な説明】
【技術分野】
【０００１】
本発明は、スライド式携帯電話機等、２つのキャビネットを互いにスライド可能に連結して構成されたスライド式携帯電子機器に関する。
【背景技術】
【０００２】
スライド式携帯電話機は、第１キャビネットと第２キャビネットとを互いにスライド可能に連結して構成された機器本体を具え、第１キャビネットの表面には、複数の操作キーによって構成された操作部が設置され、第２キャビネットの表面には、液晶表示パネルによって構成された表示部が設置されている（例えば、特許文献１参照）。機器本体は、第１キャビネットと第２キャビネットをスライド方向に相対移動させることにより、両キャビネットが閉じて操作部の少なくとも一部が第２キャビネットによって被覆された閉じ状態と、両キャビネットが開いて操作部の全体が露出した開き状態との間で状態を変更させることが可能である。
【０００３】
上記スライド式携帯電話機において、第２キャビネットに搭載された液晶表示パネル等の電気的構成要素にはフレキシブルリードが接続されており、該フレキシブルリードは、第２キャビネットの背面から引き出され、その後、第１キャビネットの表面に設けられた開口を通過して、該第１キャビネットに内蔵されている回路基板に接続されている（例えば、特許文献２参照）。
【０００４】
具体的には、第１キャビネットは、該第１キャビネットの表面を形成する表面側ケース半体と、該第１キャビネットの背面を形成する背面側ケース半体とを互いに接合して構成されており、表面側ケース半体に、フレキシブルリードが通過する開口が設けられ、背面側ケース半体に回路基板が設置されている。
【０００５】
そして、スライド式携帯電話機の組み立て工程においては、先ず表面側ケース半体の開口に、第２キャビネットの背面から引き出されたフレキシブルリードを通過させ、次に、フレキシブルリードの先端部を回路基板上のコネクタに接続する。その後、表面側ケース半体と背面側ケース半体とを互いに接合して第１キャビネットを形成する。
【０００６】
ここで、回路基板上のコネクタへのフレキシブルリードの接続等、スライド式携帯電話機の組み立てを容易にするべく、フレキシブルリードの長さ寸法は、組み立て状態において該フレキシブルリードに必要な最短の長さ寸法よりも大きく設定されている。従って、組み立て状態においては、フレキシブルリードに余分な部分（以下、余剰部分という）が生じることになる。フレキシブルリードの余剰部分は第１キャビネット内に収容され、その結果、該余剰部分によって回路基板の表面の一部が覆われることになる。このため、回路基板の表面の内、フレキシブルリードによって覆われた領域には、電子部品を搭載することが出来なかった。
【先行技術文献】
【特許文献】
【０００７】
【特許文献１】特開２００９−７１３６４号公報
【特許文献２】特開２００９−８８７３３号公報
【発明の概要】
【発明が解決しようとする課題】
【０００８】
ところで、近年、スライド式携帯電話機に防水構造を設けることが望まれている。防水構造として、第１キャビネットの表面側ケース半体の内面側に、フレキシブルリードを通過させる開口が設けられた防水シートや防水ラバー等の防水部材を配備し、該防水部材によって回路基板の表面を覆った構成が考えられる。しかしながら、この構成が採用されたスライド式携帯電話機の組み立て工程においては、表面側ケース半体の開口にフレキシブルリードを通過させた後、防水部材の開口にもフレキシブルリードを通過させてから、フレキシブルリードの先端部が回路基板上のコネクタに接続される。その後、防水部材を背面側ケース半体に取り付けてから、表面側ケース半体と背面側ケース半体とが互いに接合される。
【０００９】
このため、上述の如く防水構造を有するスライド式携帯電話機においては、回路基板上のコネクタへのフレキシブルリードの接続に加えて、背面側ケース半体への防水部材の取り付けをも容易にするべく、フレキシブルリードの長さ寸法を、防水構造のないスライド式携帯電話機よりも大きく設定する必要がある。
【００１０】
フレキシブルリードの長さ寸法が、組み立て状態において該フレキシブルリードに必要な最短の長さ寸法よりも大きくなる程、フレキシブルリードの余剰部分が長くなる。このため、回路基板の表面の内、フレキシブルリードによって覆われる領域が拡がるのに対し、電子部品を搭載することが可能な領域が狭まることになる。回路基板上の電子部品の搭載領域が狭まると、回路設計に大きな制約が生じることになる。
【００１１】
そこで本発明の目的は、組み立てが容易であって且つ回路設計に関する制約が生じ難いスライド式携帯電子機器を提供することである。
【課題を解決するための手段】
【００１２】
本発明に係るスライド式携帯電子機器は、第１キャビネットと第２キャビネットとが互いにスライド可能に連結され、第１キャビネットには回路基板が内蔵される一方、第２キャビネットには電気的構成要素が搭載されており、該電気的構成要素から引き出されたフレキシブルリードが、第１キャビネットに設けられた開口を通過して該第１キャビネット内の回路基板に接続されている。ここで、前記回路基板の表面に設けられた所定領域上にて前記フレキシブルリードの一部を折り畳むことにより、フレキシブルリードには、その一部が前記所定領域上に重畳した重畳部が形成されている。
【００１３】
上記スライド式携帯電子機器において、回路基板へのフレキシブルリードの接続等、スライド式携帯電子機器の組み立てを容易にするべく、フレキシブルリードの長さ寸法は、組み立て状態において該フレキシブルリードに必要な最短の長さ寸法よりも大きく設定されている。従って、組み立て状態においては、フレキシブルリードに余剰部分が生じることになる。フレキシブルリードの余剰部分は第１キャビネット内に収容され、その結果、該余剰部分によって回路基板の表面の一部が覆われることになる。
【００１４】
上記スライド式携帯電子機器においては、フレキシブルリードの余剰部分が、回路基板の表面に設けられた所定領域上にて折り畳まれ、これにより、フレキシブルリードに、その余剰部分が所定領域上に重畳した重畳部が形成されることになる。
【００１５】
従って、フレキシブルリードの余剰部分の長さ寸法が大きくなっても、回路基板の表面の内、フレキシブルリードによって覆われる領域が、所定領域から外側へ拡がることがない。よって、回路基板上の電子部品の搭載領域が狭まることがなく、その結果、回路設計に関する制約が生じ難い。又、フレキシブルリードの余剰部分の長さ寸法を大きくすることにより、スライド式携帯電子機器の組み立てが容易となる。
【００１６】
上記スライド式携帯電子機器の具体的構成において、前記フレキシブルリードには、その一部を複数箇所にて折り返して曲折させることにより複数の曲折部が形成され、該複数の曲折部によって前記重畳部が構成されており、前記複数の曲折部は、前記所定領域上にて互いにずれて配置されている。
【００１７】
上記具体的構成においては、その組み立て状態において、曲折部どうしが互いに圧迫し合うことがない。従って、フレキシブルリードに複数の曲折部を形成した場合でも、フレキシブルリードに形成されている配線は切断され難い。
【００１８】
上記スライド式携帯電子機器の他の具体的構成において、前記第１キャビネットは、該第１キャビネットの表面を形成する表面側ケース半体と、該第１キャビネットの背面を形成する背面側ケース半体とを互いに接合して構成され、前記表面側ケース半体に、前記フレキシブルリードを通過させる開口が設けられる一方、前記背面側ケース半体に、前記回路基板が設置されている。表面側ケース半体の内面側には、前記回路基板を覆う防水部材が配備され、該防水部材には、前記フレキシブルリードを通過させる開口が設けられると共に、該開口を塞ぐ防水シートが接合されており、前記フレキシブルリードは、防水部材と防水シートとの接合面間を通過して前記回路基板に接続されている。
【００１９】
上記具体的構成においては、表面側ケース半体の開口内に外部から水が浸入した場合でも、該水が回路基板に到達することが、防水部材及び防水シートによって防止されることになる。即ち、上記スライド式携帯電子機器には、回路基板を防水した防水構造が設けられることになる。
【００２０】
防水構造が設けられたスライド式携帯電子機器の組み立て工程においては、表面側ケース半体の開口にフレキシブルリードを通過させた後、防水部材の開口にもフレキシブルリードを通過させてから、フレキシブルリードの先端部が回路基板に接続される。その後、防水部材を背面側ケース半体に取り付けてから、表面側ケース半体と背面側ケース半体とが互いに接合される。このため、回路基板上のコネクタへのフレキシブルリードの接続に加えて、背面側ケース半体への防水部材の取り付けをも容易にするべく、フレキシブルリードの長さ寸法を、防水構造のないスライド式携帯電子機器よりも大きく設定する必要がある。
【００２１】
ここで、本発明に係るスライド式携帯電子機器によれば、フレキシブルリードの余剰部分が、回路基板の表面に設けられた所定領域上にて折り畳まれ、これにより、フレキシブルリードに、その余剰部分が所定領域上に重畳した重畳部が形成されることになる。よって、スライド式携帯電子機器に防水構造を設けることにより、フレキシブルリードの余剰部分の長さ寸法が大きくなっても、回路基板上の電子部品の搭載領域が狭まることがなく、その結果、回路設計に関する制約が生じ難い。
【００２２】
上記スライド式携帯電子機器の更なる他の具体的構成において、前記回路基板の表面にはコネクタが設置され、該コネクタには、回路基板の表面に沿う方向から、フレキシブルリードが接続されている。
【００２３】
上記具体的構成によれば、フレキシブルリードを回路基板の表面に垂直な方向から接続する構成に比べて、第１キャビネットの厚さ寸法を小さくすることが出来る。一方で、上記具体的構成においては、フレキシブルリードをコネクタに対して横へ回り込ませて接続する必要があり、このため、フレキシブルリードを回路基板の表面に垂直な方向から接続する構成に比べて、フレキシブルリードの長さ寸法が大きくなる。
【００２４】
ここで、本発明に係るスライド式携帯電子機器によれば、フレキシブルリードの余剰部分が、回路基板の表面に設けられた所定領域上にて折り畳まれ、これにより、フレキシブルリードに、その余剰部分が所定領域上に重畳した重畳部が形成されることになる。よって、フレキシブルリードの長さ寸法が大きくなっても、回路基板上の電子部品の搭載領域が狭まることがなく、その結果、回路設計に関する制約が生じ難い。
【発明の効果】
【００２５】
本発明に係るスライド式携帯電子機器は、その組み立てが容易であって、且つ回路設計に関する制約が生じ難い。
【図面の簡単な説明】
【００２６】
【図１】図１は、本発明の一実施形態に係るスライド式携帯電話機を示す正面図である。
【図２】図２は、該スライド式携帯電話機の分解斜視図である。
【図３】図３は、該スライド式携帯電話機の機器本体について、その閉じ状態の説明に用いられる正面図である。
【図４】図４は、図３に示されるＡ−Ａ線に沿う断面図である。
【図５】図５は、図４に示されるＢ領域の拡大図である。
【図６】図６は、図４に示されるＣ領域の拡大図である。
【図７】図７は、上記スライド式携帯電話機の組み立て手順について、その第１工程の説明に用いられる斜視図である。
【図８】図８は、該組み立て手順の第２工程の説明に用いられる斜視図である。
【図９】図９は、図８に示されるＤ領域の拡大図である。
【図１０】図１０は、該組み立て手順の第３工程の説明に用いられる斜視図である。
【図１１】図１１は、該組み立て手順の第４工程の説明に用いられる斜視図である。
【発明を実施するための形態】
【００２７】
以下、本発明をスライド式携帯電話機に実施した形態につき、図面に沿って具体的に説明する。
図１は、本発明の一実施形態に係るスライド式携帯電話機を示す正面図である。図１に示す様に、スライド式携帯電話機は、第１キャビネット(１)と第２キャビネット(２)とを互いにスライド可能に連結して構成された機器本体(10)を具えている。
【００２８】
第１キャビネット(１)の表面(101)には、複数の操作キー(180)〜(180)によって構成された第１操作部(18)が設置されている。第２キャビネット(２)の表面(201)には、液晶表示パネル(27)によって構成された表示部が設置されると共に、該液晶表示パネル(27)の設置領域とは異なる領域に、レバースイッチ(４)と複数の操作キー(280)〜(280)とから構成された第２操作部(28)が設置されている。レバースイッチ(４)は、これを上下左右の４方向と斜め４方向の計８方向へスライドさせるレバー操作と、これを第２キャビネット(２)に向けて押し込むレバー操作とが可能である。
【００２９】
図２は、スライド式携帯電話機の分解斜視図である。尚、図２では、後述するフレキシブルリード(６)の図示が省略されている。図２に示す様に、第１キャビネット(１)と第２キャビネット(２)との間には、これらをスライド可能に連結するスライド機構(３)が設けられ、該スライド機構(３)は、スライド体(31)とスライド規定部(32)とから構成されている。スライド体(31)は、第１キャビネット(１)と第２キャビネット(２)との対向面の内、第２キャビネット(２)側の対向面（即ち、第２キャビネット(２)の背面(202)）に固定される。一方、スライド規定部(32)は、第１キャビネット(１)と第２キャビネット(２)との対向面の内、第１キャビネット(１)側の対向面（即ち、第１キャビネット(１)の表面(101)）、具体的には第１操作部(18)の設置領域とは異なる領域に固定される。
【００３０】
スライド規定部(32)には、その両端位置に左右一対のガイド溝(320)(320)が形成されており、該一対のガイド溝(320)(320)には、スライド体(31)の左右の縁部(310)(310)が摺動自在に係合している。斯くして、スライド体(31)のスライド方向(90)が、スライド規定部(32)により第１キャビネット(１)の長手方向(91)に規定されており、従って、第２キャビネット(２)は、第１キャビネット(１)に対してその長手方向(91)に沿って相対移動することが可能となっている。
【００３１】
よって、上記スライド式携帯電話機の機器本体(10)は、第１キャビネット(１)を第２キャビネット(２)に対して相対移動させることにより、図３に示す如く両キャビネット(１)(２)が閉じて第１操作部(18)の全体が第２キャビネット(２)によって被覆された閉じ状態と、図１に示す如く両キャビネット(１)(２)が開いて第１操作部(18)の全体が露出した開き状態との間で状態を変更させることが可能である。又、第１キャビネット(１)の表面(101)には、図２に示す様に、機器本体(10)が閉じ状態と開き状態の何れの状態に設定されている場合においても第２キャビネット(２)によって被覆されることとなる被覆領域Ｒが設けられることになる。
【００３２】
上記スライド式携帯電話機のユーザは、図１に示す如く機器本体(10)が開き状態に設定されている場合、第１操作部(18)と第２操作部(28)とを用いてスライド式携帯電話機を操作することが可能である。又、図３に示す如く機器本体(10)が閉じ状態に設定されている場合であっても、ユーザは、第２操作部(28)を用いてスライド式携帯電話機を操作することが可能である。
【００３３】
図２に示す様に、第１キャビネット(１)の表面(101)の内、被覆領域Ｒの一部に、開口(111)が設けられている。該開口(111)には、後述するフレキシブルリード(６)（図６参照）が通過することになる。又、第１キャビネット(１)には回路基板(５)が内蔵され、該回路基板(５)は、第１キャビネット(１)の表面(101)に沿って広範囲に拡がった形状を有している。従って、回路基板(５)には、第１キャビネット(１)の表面(101)の内、少なくとも第１操作部(18)の設置領域と被覆領域Ｒとが重なることになる。
【００３４】
具体的には、第１キャビネット(１)は、該第１キャビネット(１)の表面(101)を形成する表面側ケース半体(11)と、該第１キャビネット(１)の背面(102)を形成する背面側ケース半体(12)とを互いに接合して構成されている。そして、表面側ケース半体(11)に第１キャビネット(１)の開口(111)が設けられる一方、背面側ケース半体(12)に回路基板(５)が設置されている。
【００３５】
又、表面側ケース半体(11)と背面側ケース半体(12)の接合面の内、背面側ケース半体(12)の接合面には、回路基板(５)の設置領域を包囲して延びた環状溝(121)が形成されている。
【００３６】
図２に示す様に、第１キャビネット(１)の表面側ケース半体(11)の内面側には、回路基板(５)の表面(50)の内、被覆領域Ｒが重なることとなる領域を覆う金属板(13)と、表面側ケース半体(11)と背面側ケース半体(12)との接合面間に介在することとなるシール部材(14)とが配備されている。ここで、シール部材(14)は、表面側ケース半体(11)と背面側ケース半体(12)との接合面間の領域から第１キャビネット(１)の内側へ拡がることにより、回路基板(５)の表面(50)の内、金属板(13)によって覆われない領域の全体を覆っている。そして、金属板(13)とシール部材(14)とは、これらの間に隙間を設けることなく一体に形成されている。
【００３７】
シール部材(14)には、背面側ケース半体(12)の環状溝(121)に嵌合すべきシール部(142)が、環状溝(121)の方へ向けて突設されている。第１キャビネット(１)の組み立て状態においては、背面側ケース半体(12)の環状溝(121)にシール部材(14)のシール部(142)が嵌合されると共に、表面側ケース半体(11)と背面側ケース半体(12)とが互いに接合され、これにより、表面側ケース半体(11)の接合面によってシール部(142)が環状溝(121)内へ押圧されることになる。その結果、シール部材(14)のシール部(142)は、環状溝(121)内に隙間なく嵌合されることになる。
【００３８】
金属板(13)の表面には、第１キャビネット(１)の組み立て状態において該第１キャビネット(１)の開口(111)内に露出することとなる領域とは異なる領域に、有底凹部(131)が形成され、該有底凹部(131)の底部には開口(132)が設けられている。又、有底凹部(131)の底部には、該底部に設けられた開口(132)を塞ぐ防水シート(15)が貼着固定され、これにより、有底凹部(131)の底部には防水シート(15)が接合されることになる。後述する様に（図６参照）、第１キャビネット(１)の開口(111)を通過したフレキシブルリード(６)は、有底凹部(131)の底部と防水シート(15)との接合面間を通過した後、有底凹部(131)の底部に設けられた開口(132)を通過することになる。
【００３９】
一方、第１キャビネット(１)の表面側ケース半体(11)には、その一部を屈曲変形させて内面側へ隆起させることにより、金属板(13)の有底凹部(131)と対向する位置に隆起部(112)が形成されている。尚、表面側ケース半体(11)の一部を屈曲変形させることにより、表面側ケース半体(11)の表面(101)には、窪み(113)が形成されている。
【００４０】
第１キャビネット(１)の組み立て状態においては、金属板(13)の有底凹部(131)に、表面側ケース半体(11)の隆起部(112)が嵌合し、その結果、防水シート(15)が、隆起部(112)と有底凹部(131)の底部とによって挟圧されることになる。従って、表面側ケース半体(11)の開口(111)内に外部から水が浸入した場合でも、該水が有底凹部(131)の底部に設けられた開口(132)を通過することが、防水シート(15)によって防止されることになる。
【００４１】
又、上記第１キャビネット(１)の構成によれば、表面側ケース半体(11)と背面側ケース半体(12)との接合面間からの水の浸入が、シール部材(14)によって防止されることになる。更に、第１キャビネット(１)の表面(101)側から第１キャビネット(１)内に水が浸入した場合でも、該水が回路基板(５)に到達することが、一体に形成されている金属板(13)とシール部材(14)とによって防止されることになる。従って、金属板(13)とシール部材(14)は、回路基板(５)を覆う防水部材として機能している。
【００４２】
よって、第１キャビネット(１)の外部の水が回路基板(５)に到達することが、金属板(13)とシール部材(14)とから構成された防水部材と、防水シート(15)とによって防止されることになる。斯くして、上記スライド式携帯電話機には、回路基板(５)を防水した防水構造が設けられている。
【００４３】
図４は、図３に示されるＡ−Ａ線に沿う断面図である。図５は、図４に示されるＢ領域の拡大図である。図５に示す様に、第２キャビネット(２)の背面(202)からはフレキシブルリード(６)が引き出されており、該フレキシブルリード(６)の基端部(61)は、第１キャビネット(１)に内蔵されている回路基板(71)に接続されている。回路基板(71)には、レバースイッチ(４)等の電子部品が搭載される共に、第２のフレキシブルリード(72)を通じて液晶表示パネル(27)が電気的に接続されている。
【００４４】
従って、第２キャビネット(２)に搭載された液晶表示パネル(27)及びレバースイッチ(４)等の電気的構成要素には、フレキシブルリード(６)の基端部(61)が電気的に接続されている。斯くして、フレキシブルリード(６)は、第２キャビネット(２)に搭載された電気的構成要素から引き出されている。
【００４５】
図６は、図４に示されるＣ領域の拡大図である。図６に示す様に、第２キャビネット(２)の背面(202)から引き出されたフレキシブルリード(６)は、第２キャビネット(２)の背面(202)に沿って延びた後、第１キャビネット(１)の表面側ケース半体(11)に設けられた開口(111)を通過して、第１キャビネット(１)内の回路基板(５)に接続されている。
【００４６】
具体的には、第２キャビネット(２)の背面(202)から引き出されたフレキシブルリード(６)は、第２キャビネット(２)の背面(202)に沿って上方に延びた後、Ｕ字状に湾曲することにより表面側ケース半体(11)の開口(111)を通過し、その後、金属板(13)の表面に沿って下方に延びている。そして、金属板(13)の表面に沿って下方に延びたフレキシブルリード(６)は、有底凹部(131)の底部と防水シート(15)との接合面間を通過し、その後、有底凹部(131)の底部に設けられた開口(132)を通過している。回路基板(５)の表面(50)にはコネクタ(51)が設置されており（図２も参照）、フレキシブルリード(６)の先端部(62)は、回路基板(５)の表面(50)に沿う方向からコネクタ(51)に接続されている。
【００４７】
図６に示す様に、フレキシブルリード(６)には、回路基板(５)の表面(50)に設けられた所定領域Ｆ上にてフレキシブルリード(６)の一部を折り畳むことにより、該一部が所定領域Ｆ上に重畳した重畳部(63)が形成されている。ここで、所定領域Ｆは、回路基板(５)の表面(50)の内、コネクタ(51)の設置領域に隣接して設けられている（図２も参照）。
【００４８】
具体的には、フレキシブルリード(６)には、その一部を３箇所にて折り返して曲折させることにより３つの曲折部(64)〜(64)が形成されており、該３つの曲折部(64)〜(64)によって重畳部(63)が構成されている。ここで、３つの曲折部(64)〜(64)は、所定領域Ｆ上にて互いにずれて配置されている。
【００４９】
次に、上記スライド式携帯電話機の組み立て手順について、図面に沿って具体的に説明する。
図７は、組み立て手順の第１工程の説明に用いられる斜視図である。図７に示す様に（図２及び図６も参照）、第１工程では、第１キャビネット(１)の表面側ケース半体(11)と第２キャビネット(２)とを、スライド機構(３)により互いにスライド可能に連結する。このとき、表面側ケース半体(11)の開口(111)に、第２キャビネット(２)の背面(202)から引き出されているフレキシブルリード(６)を通過させる。
【００５０】
第１工程では更に、金属板(13)の有底凹部(131)の底部に設けられた開口(132)にフレキシブルリード(６)を通過させ、その状態で、有底凹部(131)の底部に防水シート(15)を貼着工程することにより開口(132)を塞ぐ。これにより、フレキシブルリード(６)は、有底凹部(131)の底部と防水シート(15)との接合面間を通過すると共に、その状態で金属板(13)に固定されることになる。
【００５１】
図８は、組み立て手順の第２工程の説明に用いられる斜視図である。図８に示す様に（図２及び図６も参照）、第２工程では、コネクタ(51)にフレキシブルリード(６)の先端部(62)を接続した後、フレキシブルリード(６)の一部を、回路基板(５)の表面(50)に設けられた所定領域Ｆ上にて折り畳むことにより、フレキシブルリード(６)の重畳部(63)を形成する。
【００５２】
図９は、図８に示されるＤ領域の拡大図である。図９に示す様に、フレキシブルリード(６)には、所定領域Ｆ上でのその折り畳みを容易にするべく、該フレキシブルリード(６)が折り返されて曲折することとなる箇所に、折り癖(640)が予め付けられている。
【００５３】
図１０は、組み立て手順の第３工程の説明に用いられる斜視図である。図１０に示す様に（図２及び図６も参照）、第３工程では、第１キャビネット(１)の背面側ケース半体(12)に、金属板(13)と一体に形成されているシール部材(14)を取り付けることにより、金属板(13)とシール部材(14)とにより回路基板(５)の表面(50)を覆う。このとき、シール部材(14)のシール部(142)を背面側ケース半体(12)の環状溝(121)に嵌合させる。
【００５４】
図１１は、組み立て手順の第４工程の説明に用いられる斜視図である。図１１に示す様に、第４工程では、第１キャビネット(１)の表面側ケース半体(11)と背面側ケース半体(12)とを互いに接合させることにより、第１キャビネット(１)を完成させる。これにより、表面側ケース半体(11)の接合面によってシール部材(14)のシール部(142)が環状溝(121)内へ押圧され、その結果、シール部(142)は、環状溝(121)内に隙間なく嵌合されることになる。又、金属板(13)の有底凹部(131)に、表面側ケース半体(11)の隆起部(112)が嵌合し、その結果、防水シート(15)が、隆起部(112)と有底凹部(131)の底部とによって挟圧されることになる。
【００５５】
完成したスライド式携帯電話機においては、フレキシブルリード(６)は、有底凹部(131)の底部と防水シート(15)との接合面間を通過した状態で金属板(13)に固定されると共に、その先端部(62)がコネクタ(51)に接続されて固定されることになる。従って、フレキシブルリード(６)の内、金属板(13)からコネクタ(51)まで延びた部分について、その形状は、スライド式携帯電話機のスライド操作が実行されたときでも変化することがない。即ち、フレキシブルリード(６)の重畳部(63)は、スライド式携帯電話機が完成することによって一旦その形状が決まると、その後、重畳部(63)の形状は変化することがない。従って、フレキシブルリード(６)は、上述の如く重畳部(63)にて折り曲げられているものの、フレキシブルリード(６)に形成されている配線は切断され難い。
【００５６】
上記スライド式携帯電話機において、回路基板(５)上のコネクタ(51)へのフレキシブルリード(６)の接続等、スライド式携帯電話機の組み立てを容易にするべく、フレキシブルリード(６)の長さ寸法は、組み立て状態において該フレキシブルリード(６)に必要な最短の長さ寸法よりも大きく設定されている。従って、組み立て状態においては、フレキシブルリード(６)に余剰部分が生じることになる。
【００５７】
特に、上記スライド式携帯電話機の如く防水構造が設けられた構成においては、回路基板(５)上のコネクタ(51)へのフレキシブルリード(６)の接続に加えて、第１キャビネット(１)の背面側ケース半体(12)へのシール部材(14)の取り付けをも容易にするべく、フレキシブルリード(６)の長さ寸法を、防水構造のないスライド式携帯電話機よりも大きく設定する必要がある。
【００５８】
上記スライド式携帯電話機によれば、フレキシブルリード(６)の余剰部分が、回路基板(５)の表面(50)に設けられた所定領域Ｆ上にて折り畳まれ、これにより、フレキシブルリード(６)に、その余剰部分が所定領域Ｆ上に重畳した重畳部(63)が形成されることになる。
【００５９】
従って、フレキシブルリード(６)の余剰部分の長さ寸法が大きくなっても、回路基板(５)の表面(50)の内、フレキシブルリード(６)によって覆われる領域が、所定領域Ｆから外側へ拡がることがない。よって、回路基板(５)上の電子部品の搭載領域が狭まることがなく、その結果、回路設計に関する制約が生じ難い。又、フレキシブルリード(６)の余剰部分の長さ寸法を大きくすることにより、スライド式携帯電話機の組み立てが容易となる。
【００６０】
又、上記スライド式携帯電話機においては、その組み立て状態においてフレキシブルリード(６)に形成される複数の曲折部(64)が、所定領域Ｆ上にて互いにずれて配置されている。従って、曲折部(64)どうしが互いに圧迫し合うことがない。よって、フレキシブルリード(６)に複数の曲折部(64)を形成した場合でも、フレキシブルリード(６)に形成されている配線は切断され難い。
【００６１】
更に、上記スライド式携帯電話機においては、フレキシブルリード(６)の先端部(62)が、回路基板(５)の表面(50)に沿う方向からコネクタ(51)に接続されている。従って、フレキシブルリード(６)の先端部(62)を回路基板(５)の表面(50)に垂直な方向からコネクタ(51)に接続する構成に比べて、第１キャビネット(１)の厚さ寸法を小さくすることが出来る。
【００６２】
一方で、上記スライド式携帯電話機においては、フレキシブルリード(６)をコネクタ(51)に対して横へ回り込ませて接続する必要があり、このため、フレキシブルリード(６)の先端部(62)を回路基板(５)の表面(50)に垂直な方向からコネクタ(51)に接続する構成に比べて、フレキシブルリード(６)の長さ寸法が大きくなる。それにも拘らず、上記スライド式携帯電話機によれば、上述したのと同様の理由から、回路基板(５)上の電子部品の搭載領域が狭まることがなく、その結果、回路設計に関する制約が生じ難い。
【００６３】
尚、本発明の各部構成は上記実施の形態に限らず、特許請求の範囲に記載の技術的範囲内で種々の変形が可能である。例えば、フレキシブルリード(６)には、その一部を１又は２箇所にて折り返して曲折させることにより１又は２つの曲折部(64)が形成され、該１又は２つの曲折部(64)によって重畳部(63)が構成されていてもよい。又、フレキシブルリード(６)には、その一部を３箇所以上の複数箇所にて折り返して曲折させることにより複数の曲折部(64)が形成され、該複数の曲折部(64)によって重畳部(63)が構成されていてもよい。更に、所定領域Ｆ上での複数の曲折部(64)のずらし方は、図６に示した形態に限定されるものではない。
【００６４】
上記スライド式携帯電話機に採用した各種構成は、ＰＤＡ（Personal  Digital  Assistant）等、種々のスライド式携帯電子機器に適用することが出来る。又、上記フレキシブルリード(６)に採用した構成は、防水構造のないスライド式携帯電子機器に設けられたフレキシブルリードにも適用することが出来る。
【符号の説明】
【００６５】
(10)  機器本体
(１)  第１キャビネット
(101) 表面
(102) 背面
(11)  表面側ケース半体
(111) 開口
(12)  背面側ケース半体
(121) 環状溝
(13)  金属板
(131) 有底凹部
(132) 開口
(14)  シール部材
(142) シール部
(15)  防水シート
(２)  第２キャビネット
(201) 表面
(202) 背面
(27)  液晶表示パネル（電気的構成要素）
(３)  スライド機構
(31)  スライド体
(310) 縁部
(32)  スライド規定部
(320) ガイド溝
(４)  レバースイッチ（電気的構成要素）
(５)  回路基板
(50)  表面
(51)  コネクタ
(６)  フレキシブルリード
(61)  基端部
(62)  先端部
(63)  重畳部
(64)  曲折部
(640) 折り癖
Ｒ  被覆領域
Ｆ  所定領域
【図１】
0005567879.tif 000002
【図２】
0005567879.tif 000003
【図３】
0005567879.tif 000004
【図４】
0005567879.tif 000005
【図５】
0005567879.tif 000006
【図６】
0005567879.tif 000007
【図７】
0005567879.tif 000008
【図８】
0005567879.tif 000009
【図９】
0005567879.tif 000010
【図１０】
0005567879.tif 000011
【図１１】
0005567879.tif 000012